(57)【要約】【課題】組付け作業性を向上させることができるとともに、組付け不良を抑制できるコネクタを提供すること。【解決手段】相手端子との接続方向に対して直交する方向に電源線６１及び信号線７１が導出された第一端子６０及び第二端子７０と、第一端子６０及び第二端子７０を収容する第一キャビティ部２５Ａ及び第二キャビティ部２５Ｂを有するハウジング２０と、第一端子６０及び第二端子７０を保持する第一端子保持部４１及び第二端子保持部５１を有し、ハウジング２０に組付けられることで、第一端子６０及び第二端子７０を第一キャビティ部２５Ａ及び第二キャビティ部２５Ｂへ収容させるリアホルダ４０と、を備え、リアホルダ４０は、第一端子６０及び第二端子７０または電源線６１及び信号線７１を係止して第一端子保持部４１及び第二端子保持部５１に端子を保持させた状態に維持させる係止機構を備える。【選択図】図５
2019175612.tif 000002
【特許請求の範囲】
【請求項１】
相手端子との接続方向に対して直交する方向に電線が導出された端子と、
前記端子を収容するキャビティ部を有するハウジングと、
前記端子を保持する端子保持部を有し、前記ハウジングに組付けられることで、前記端子を前記キャビティ部へ収容させるリアホルダと、を備え、
前記リアホルダは、前記端子または前記電線を係止して前記端子保持部に前記端子を保持させた状態に維持させる係止機構を備える
ことを特徴とするコネクタ。
【請求項２】
前記端子は、第一端子と、第二端子と、から構成され、
前記端子保持部は、前記リアホルダの前記ハウジングへの装着側に形成されて前記第一端子が嵌合される収容凹部を有する第一端子保持部と、前記接続方向と直交する方向に前記第二端子が嵌合される収容凹部を有する第二端子保持部と、から構成されている
ことを特徴とする請求項１に記載のコネクタ。
【請求項３】
前記係止機構は、前記第一端子保持部に嵌合された前記第一端子を係止する第一係止機構と、前記第二端子保持部に嵌合された前記第二端子を係止する第二係止機構と、から構成され、
前記第一係止機構は、前記第一端子から延びる前記電線を係止する係止突起を備え、
前記第二係止機構は、前記第二端子に形成された切欠き部に前記接続方向に直交する方向から嵌合する係止凸部と、前記第二端子保持部の前記収容凹部への嵌合方向後方側を押圧する押圧片と、を備える
ことを特徴とする請求項２に記載のコネクタ。
【請求項４】
前記第一端子保持部は、前記第一端子から延びる前記電線を収容する第一電線収容溝を有し、前記第二端子保持部は、前記第二端子から延びる前記電線を収容する第二電線収容溝を有する
ことを特徴とする請求項２または請求項３に記載のコネクタ。
【発明の詳細な説明】
【技術分野】
【０００１】
本発明は、コネクタに関する。
【背景技術】
【０００２】
ハウジングに組付けられて、ハウジングに収容される端子に接続された電線を支持するホルダ（リアホルダ）を備えるコネクタが知られている（特許文献１参照）。ホルダは、係止部を備えた第１のホルダと、被係止部が係止部に係止されることで、電線を第１のホルダとで挟持する第２のホルダと、を有する。
【０００３】
また、周方向外方に開口する開口部を有する保持ブロック部材と、保持ブロック部材の開口部に周方向外方から挿し込まれるコンタクト部材と、コンタクト部材が開口部に挿し込まれた保持ブロック部材に組付けられる固着スリーブとを備えたプラグインサートが知られている（特許文献２参照）。
【先行技術文献】
【特許文献】
【０００４】
【特許文献１】特開２０１５−８０９９号公報
【特許文献２】特開２０１６−２２５２９８号公報
【発明の概要】
【発明が解決しようとする課題】
【０００５】
上記特許文献１に開示されたコネクタは、ハウジングに装着されて端子に接続された電線を支持しているホルダが、第１のホルダと第２のホルダに分割されており、構造が複雑である。このため、組付け作業性がよくないという問題がある。
【０００６】
上記特許文献２に開示されたプラグインサートでは、保持ブロック部材の開口部に挿し込まれるコンタクト部材は、保持ブロック部材に固着スリーブを組付けることで保持される。このため、開口部にコンタクト部材を挿し込んだサブアッセンブリ状態の保持ブロック部材に固着スリーブを組付けるまでの間にコンタクト部材が保持ブロック部材の開口部から外れるおそれがある。このため、保持ブロック部材からコンタクト部材が外れないように保持しながら固着ブロックに形成された孔へコンタクト部材を挿し込んで保持ブロック部材に固着スリーブを組付けるという煩雑な組付け作業を要する。
【０００７】
本発明は、上述した事情に鑑みてなされたものであり、その目的は、組付け作業性を向上させることができるとともに、組付け不良を抑制できるコネクタを提供することにある。
【課題を解決するための手段】
【０００８】
前述した目的を達成するために、本発明に係るコネクタは、下記（１）〜（４）を特徴としている。
（１）  相手端子との接続方向に対して直交する方向に電線が導出された端子と、
前記端子を収容するキャビティ部を有するハウジングと、
前記端子を保持する端子保持部を有し、前記ハウジングに組付けられることで、前記端子を前記キャビティ部へ収容させるリアホルダと、を備え、
前記リアホルダは、前記端子または前記電線を係止して前記端子保持部に前記端子を保持させた状態に維持させる係止機構を備える
ことを特徴とするコネクタ。
（２）  前記端子は、第一端子と、第二端子と、から構成され、
前記端子保持部は、前記リアホルダの前記ハウジングへの装着側に形成されて前記第一端子が嵌合される収容凹部を有する第一端子保持部と、前記接続方向と直交する方向に前記第二端子が嵌合される収容凹部を有する第二端子保持部と、から構成されている
ことを特徴とする（１）に記載のコネクタ。
（３）  前記係止機構は、前記第一端子保持部に嵌合された前記第一端子を係止する第一係止機構と、前記第二端子保持部に嵌合された前記第二端子を係止する第二係止機構と、から構成され、
前記第一係止機構は、前記第一端子から延びる前記電線を係止する係止突起を備え、
前記第二係止機構は、前記第二端子に形成された切欠き部に前記接続方向に直交する方向から嵌合する係止凸部と、前記第二端子保持部の前記収容凹部への嵌合方向後方側を押圧する押圧片と、を備える
ことを特徴とする（２）に記載のコネクタ。
（４）  前記第一端子保持部は、前記第一端子から延びる前記電線を収容する第一電線収容溝を有し、前記第二端子保持部は、前記第二端子から延びる前記電線を収容する第二電線収容溝を有する
ことを特徴とする（２）または（３）に記載のコネクタ。
【０００９】
上記（１）の構成のコネクタによれば、係止機構によって端子がリアホルダの端子保持部に保持された状態に維持される。したがって、端子保持部に端子を保持させたリアホルダをハウジングに装着することができ、しかも、ハウジングへリアホルダを組付ける際にリアホルダからの端子の脱落を抑制できる。これにより、端子をガタツキなく保持させることができるとともに、組付け作業性を向上させることができる。また、端子保持部に対する端子の保持状態が目視可能となり、組み付け不良の抑制が容易となる。さらに、電線の導出方向が相手端子との接続方向に対して直交する方向の端子をリアホルダに保持させる構造であるので、端子から延びる電線がリアホルダに絡むような不具合なく端子をリアホルダの端子保持部へ保持させることができる。
上記（２）の構成のコネクタによれば、第一端子保持部の収容凹部に第一端子を嵌合させ、第二端子保持部の収容凹部に第二端子を嵌合させることで、第一端子及び第二端子を容易にリアホルダへ保持させることができる。特に、第一端子保持部の収容凹部は、リアホルダのハウジングへの装着側に形成されているので、相手コネクタへ接続した際に第一端子に相手端子との接続方向後方へ作用する力をリアホルダで受け止めさせることができる。
上記（３）の構成のコネクタによれば、第一係止機構の係止突起が第一端子から延びる電線を係止することで、第一端子をリアホルダへ容易に保持させることができる。また、第二係止機構の係止凸部が第二端子の切欠き部に嵌合し、押圧片が第二端子における第二端子保持部の収容凹部への嵌合方向後方側を押圧することで、第二端子をリアホルダへ容易にかつ確実に保持させることができる。
上記（４）の構成のコネクタによれば、第一端子及び第二端子から延びる電線が第一電線収容溝及び第二電線収容溝に収容されるので、電線がばらけることによる組付け作業の滞りをなくし、さらに良好な組付け作業性を確保できる。
【発明の効果】
【００１０】
本発明によれば、組付け作業性を向上させることができるとともに、組付け不良を抑制できるコネクタを提供できる。
【００１１】
以上、本発明について簡潔に説明した。更に、以下に説明される発明を実施するための形態（以下、「実施形態」という。）を添付の図面を参照して通読することにより、本発明の詳細は更に明確化されるであろう。
【図面の簡単な説明】
【００１２】
【図１】図１は、本実施形態に係るコネクタの前方側から視た斜視図である。
【図２】図２は、ハウジング及びリアホルダの前方側から視た斜視図である。
【図３】図３は、本実施形態に係るコネクタの後方側から視た斜視図である。
【図４】図４は、ハウジング及びリアホルダの後方側から視た斜視図である。
【図５】図５は、リアホルダ、第一端子及び第二端子の後方側から視た斜視図である。
【図６】図６は、リアホルダを説明する図であって、図６（ａ）は前方側から視た斜視図、図６（ｂ）は後方側から視た斜視図である。
【図７】図７は、第一端子保持部の収容凹部に収容された第一端子の斜視図である。
【図８】図８は、第二端子保持部の収容凹部に収容された第二端子の斜視図である。
【図９】図９は、第二端子保持部の収容凹部における第二端子の収容状態を示す図であって、図９（ａ）は収容凹部の裏面図、図９（ｂ）は収容凹部の上面図である。
【図１０】図１０は、リアホルダに対する第一端子及び第二端子の組付け方を示すリアホルダ、第一端子及び第二端子の後方側から視た斜視図である。
【図１１】図１１は、ハウジングに対するリアホルダの組付け方を示すハウジング及びリアホルダの後方側から視た斜視図である。
【図１２】図１２は、参考例に係るコネクタの端子をセットしたリアホルダが挿入される前のハウジングの後方側から視た斜視図である。
【図１３】図１３は、図１２に示したコネクタの水平断面図である。
【発明を実施するための形態】
【００１３】
以下、本発明に係る実施の形態の例を、図面を参照して説明する。
図１は、本実施形態に係るコネクタの前方側から視た斜視図である。図２は、ハウジング及びリアホルダの前方側から視た斜視図である。図３は、本実施形態に係るコネクタの後方側から視た斜視図である。図４は、ハウジング及びリアホルダの後方側から視た斜視図である。
【００１４】
図１から図４に示すように、本実施形態に係るコネクタ１０は、ハウジング２０と、リアホルダ４０と、第一端子６０と、第二端子７０とを備えている。第一端子６０は、電源線６１の端部に接続された電源用の端子であり、第二端子７０は、信号線７１の端部に接続された信号用の端子である。
【００１５】
本実施形態に係るコネクタ１０は、例えば、充電コネクタ（相手コネクタ）が嵌合される車両側コネクタとして車両に搭載される。勿論、本発明に係るコネクタは、充電コネクタとして用いられるものであってもよい。以下、本実施形態において、車両側コネクタ（車両インレット）として説明する。
【００１６】
ハウジング２０は、合成樹脂から成形されたもので、相手コネクタ嵌合部２１を有している。ハウジング２０の相手コネクタ嵌合部２１には、充電コネクタ等（図示略）が嵌合される。ハウジング２０は、車両の取付穴（図示略）に取り付けられる四角形のフランジ部２２を有する。フランジ部２２には、相手コネクタ嵌合部２１側に、筒状のフード部２３が突設される。また、フランジ部２２には、フード部２３と反対側に、端子装着部２４が突設される。端子装着部２４には、リアホルダ４０が装着される。
【００１７】
ハウジング２０のフード部２３は、筒状に形成されており、その内方には、複数の第一キャビティ部２５Ａ及び複数の第二キャビティ部２５Ｂが設けられている。第一キャビティ部２５Ａには、端子装着部２４側から第一端子６０が収容され、第二キャビティ部２５Ｂには、端子装着部２４側から第二端子７０が収容される。
【００１８】
ハウジング２０には、相手コネクタ嵌合部２１に充電コネクタ等が前方から嵌合される。そして、ハウジング２０に充電コネクタを嵌合することで、第一キャビティ部２５Ａには充電コネクタの電源用の端子が挿し込まれ、これにより、第一端子６０と充電コネクタの電源用の端子とが電気的に接続される。同様に、ハウジング２０に充電コネクタを嵌合することで、第二キャビティ部２５Ｂには充電コネクタの信号用の端子が挿し込まれ、これにより、第二端子７０と充電コネクタの信号用の端子とが電気的に接続される。
【００１９】
ハウジング２０の端子装着部２４は、ホルダ固定部３０を有している。端子装着部２４のホルダ固定部３０には、リアホルダ４０が装着される。リアホルダ４０は、第一端子６０及び第二端子７０が組付けられた状態（アッセンブリ状態）でホルダ固定部３０に装着される。このホルダ固定部３０には、両側及び上部に、係止爪３１が形成されている。
【００２０】
図５は、リアホルダ、第一端子及び第二端子の後方側から視た斜視図である。
図５に示すように、リアホルダ４０には、第一端子６０及び第二端子７０が組付けられる。第一端子６０には、電源線６１が接続され、第二端子７０には、信号線７１が接続されている。
【００２１】
第一端子６０は、例えば、銅または銅合金等の導電性金属材料から形成されている。第一端子６０は、先端側に電気接続部６２が設けられ、後端側に電線接続部６３が設けられている。電気接続部６２は、充電コネクタの電源用の端子と電気的に接続される。電線接続部６３には、電源線６１が圧着等によって電気的に接続されている。電線接続部６３に接続された電源線６１は、充電コネクタの電源用の端子との接続方向に対して直交する方向に引き出されている。
【００２２】
第二端子７０は、例えば、銅または銅合金等の導電性金属材料から形成されている。第二端子７０は、先端側に電気接続部７２が設けられ、後端側に電線接続部７３が設けられている。電気接続部７２は、充電コネクタの信号用の端子と電気的に接続される。電線接続部７３には、信号線７１が圧着等によって電気的に接続されている。電線接続部７３に接続された信号線７１は、充電コネクタの信号用の端子との接続方向に対して直交する方向に引き出されている。第二端子７０には、後端側に、切欠き部７５が形成されている。切欠き部７５は、側方側が開放された凹状に形成されている。
【００２３】
図６は、リアホルダを説明する図であって、図６（ａ）は前方側から視た斜視図、図６（ｂ）は後方側から視た斜視図である。図７は、第一端子保持部の収容凹部に収容された第一端子の斜視図である。図８は、第二端子保持部の収容凹部に収容された第二端子の斜視図である。図９は、第二端子保持部の収容凹部における第二端子の収容状態を示す図であって、図９（ａ）は収容凹部の裏面図、図９（ｂ）は収容凹部の上面図である。
【００２４】
図６（ａ）及び図６（ｂ）に示すように、リアホルダ４０は、合成樹脂から成形されたもので、第一端子保持部４１及び第二端子保持部５１を有している。第一端子保持部４１には、電源線６１が接続された第一端子６０が保持され、第二端子保持部５１には、信号線７１が接続された第二端子７０が保持される。また、リアホルダ４０には、その両側部及び上部に、係止孔３２ａを有する係止片３２が形成されている。
【００２５】
第一端子保持部４１は、リアホルダ４０におけるハウジング２０への装着側である前方側に形成されている。図７に示すように、第一端子保持部４１は、第一端子６０を収容可能な収容凹部４２と、電源線６１が通される電源線収容溝である第一電線収容溝４３とを有している。第一電線収容溝４３には、その縁部に、互いに近接する方向へ突出する一対の係止突起４４が形成されている。
【００２６】
第一端子保持部４１には、収容凹部４２に第一端子６０の後端が前方側から嵌合されて収容される。そして、この収容凹部４２に収容された第一端子６０に接続された電源線６１は、第一電線収容溝４３に収容される。この第一電線収容溝４３に収容された電源線６１は、係止突起４４によって係止され、前方への抜け出しが抑制される。そして、この電源線６１が係止されることで、第一端子６０が第一端子保持部４１に保持された状態に維持される。
【００２７】
第二端子保持部５１は、リアホルダ４０における上部に形成されている。第二端子保持部５１は、第二端子７０を収容可能な収容凹部５２と、信号線７１が通される信号線収容溝である第二電線収容溝５３とを有している。図８、図９（ａ）及び図９（ｂ）に示すように、収容凹部５２の一側部には、上下に延びる係止凸部５５が形成されている。また、収容凹部５２には、係止凸部５５と反対側に、押圧片５６が形成されている。
【００２８】
第二端子保持部５１には、収容凹部５２に第二端子７０が上方側から嵌合されて収容される。この収容凹部５２に第二端子７０を挿し込むと、第二端子７０の切欠き部７５に係止凸部５５が嵌合する。これにより、第二端子７０の前後方向への移動が規制される。また、第二端子７０を収容凹部５２に挿し込むことで、押圧片５６が第二端子７０の電線接続部７３によって一旦外側へ弾性変形する。そして、第二端子７０が収容凹部５２へ収容されると、弾性変形していた押圧片５６が内側へ戻る。これにより、収容凹部５２に収容された第二端子７０は、その電線接続部７３の上部である収容凹部５２への嵌合方向後方側が押圧片５６で押えられ、上方への抜け出しが抑制される。そして、第二端子７０は、第二端子保持部５１に保持された状態に維持される。また、収容凹部５２に収容された第二端子７０に接続された信号線７１は、第二電線収容溝５３に収容される。
【００２９】
次に、上記コネクタ１０を組み立てる場合について説明する。
図１０は、リアホルダに対する第一端子及び第二端子の組付け方を示すリアホルダ、第一端子及び第二端子の後方側から視た斜視図である。図１１は、ハウジングに対するリアホルダの組付け方を示すハウジング及びリアホルダの後方側から視た斜視図である。
【００３０】
図１０に示すように、コネクタを組み立てるには、まず、リアホルダ４０に、電源線６１が接続された第一端子６０及び信号線７１が接続された第二端子７０を組付ける。
【００３１】
このとき、第一端子６０は、電気接続部６２を前方へ向けた状態でリアホルダ４０の前方側から第一端子保持部４１の収容凹部４２へ向かって（図１０中矢印Ａ方向へ）嵌合させ、収容凹部４２に収容させる。また、第一端子６０から直交する方向に導出された電源線６１は、リアホルダ４０の前面に形成された第一電線収容溝４３に嵌め込み、係止突起４４に係止させる。これにより、第一端子６０をリアホルダ４０の第一端子保持部４１に保持させる。
【００３２】
また、第二端子７０は、電気接続部７２を前方へ向けた状態で、第二端子７０から直交する方向に導出された信号線７１を第二電線収容溝５３に収容させる。この状態で、第二端子７０をリアホルダ４０の上方側から第二端子保持部５１の収容凹部５２へ向かって（図１０中矢印Ｂ方向へ）嵌合させ、収容凹部５２に収容させる。これにより、第二端子７０の切欠き部７５に係止凸部５５を嵌合させるとともに、電線接続部７３の上部を押圧片５６で押圧させて上方への抜け出しを抑制させる。これにより、第二端子７０をリアホルダ４０の第二端子保持部５１に保持させる。
【００３３】
図１１に示すように、第一端子６０及び第二端子７０をリアホルダ４０に組付けたら、この組付け状態（アッセンブリ状態）のリアホルダ４０を、ハウジング２０の端子装着部２４に対して、後方側からホルダ固定部３０へ向かって（図１１中矢印Ｃ方向へ）近接させる。
【００３４】
これにより、ハウジング２０の第一キャビティ部２５Ａに第一端子６０の電気接続部６２を挿し込み、第二キャビティ部２５Ｂに第二端子７０の電気接続部７２を挿し込む。そして、リアホルダ４０の係止片３２にホルダ固定部３０の係止爪３１を係止させ、ホルダ固定部３０にリアホルダ４０を固定させる。
【００３５】
ここで、参考例に係るコネクタについて説明する。
図１２は、参考例に係るコネクタの端子をセットしたリアホルダが挿入される前のハウジングの後方側から視た斜視図である。図１３は、図１２に示したコネクタの水平断面図である。
【００３６】
図１２及び図１３に示すように、参考例に係るコネクタ５００は、複数の端子５０１と、ハウジング５０３と、リアホルダ５０５とを備える。ハウジング５０３には、複数の端子収容室５０２が形成されており、これらの端子収容室５０２に、複数の端子５０１が収容される。端子５０１は、その後端に電線５０７が電気的に接続されており、電線５０７は、端子５０１の後端から軸方向に沿って引き出されている。端子５０１は、外周側へ張り出す羽部５０１ａを有しおり、ハウジング５０３にリアホルダ５０５が組付けられて羽部５０１ａがハウジング５０３とリアホルダ５０５で挟まれることで保持される。リアホルダ５０５には、端子５０１に接続された電線５０７をセットするためのスリット５０９が形成されている。
【００３７】
このコネクタ５００を組付ける際には、先ず、ハウジング５０３の端子収容室５０２に複数の端子５０１をそれぞれ挿入する。次に、複数の電線５０７を上下によせてスペース５１１をつくる。次に、できたスペース５１１にリアホルダ５０５を通す。リアホルダ５０５のスリット５０９に電線５０７をセットする。最後に、図１３に示すように、リアホルダ５０５をハウジング５０３の後端に装着し、端子５０１の羽部５０１ａをハウジング５０３とリアホルダ５０５とで挟んで抜け止めしてコネクタ５００の組付けを完了する。
【００３８】
この参考例に係るコネクタ５００では、端子５０１を抜け止めするためのリアホルダ５０５をハウジング５０３に組付ける際の手順が複雑であり、これに加え端子５０１の後端から軸方向に沿って引き出された電線５０７が絡むので難作業となる。また、リアホルダ５０５がハウジング５０３に装着されるまで、端子５０１をハウジング５０３に抜け止めすることができず、端子５０１が正規の位置から外れるおそれがある。端子５０１が正規の位置から外れた状態では、リアホルダ５０５を組付けた場合、端子保持力を得ることができず、組付け不良が生じるおそれがある。しかも、端子収容室５０２に収容された端子５０１の保持状態を目視することができず、組み付け不良の発見が困難である。また、端子５０１の羽部５０１ａをハウジング５０３とリアホルダ５０５の２部品で挟み込んで端子５０１を保持させるため、ハウジング５０３及びリアホルダ５０５の寸法精度や曲げ加工で形成される羽部５０１ａの加工精度が低いと、端子収容室５０２内の端子５０１にガタツキが発生するおそれがある。
【００３９】
これに対して、本実施形態に係るコネクタ１０によれば、係止突起４４が第一端子６０から延びる電源線６１を係止することで、第一端子６０をリアホルダ４０へ容易に保持させることができる。また、係止凸部５５が第二端子７０の切欠き部７５に嵌合し、押圧片５６が第二端子７０における第二端子保持部５１の収容凹部５２への嵌合方向後方側を押圧することで、第二端子７０をリアホルダ４０へ容易にかつ確実に保持させることができる。そして、係止突起４４によって第一端子６０が第一端子保持部４１に保持された状態に維持され、係止凸部５５及び押圧片５６によって第二端子７０が第二端子保持部５１に保持された状態に維持される。
【００４０】
したがって、第一端子保持部４１及び第二端子保持部５１に第一端子６０及び第二端子７０を保持させた状態（アセンブリ状態）のリアホルダ４０をハウジング２０に装着することができ、しかも、ハウジング２０へリアホルダ４０を組付ける際にリアホルダ４０からの第一端子６０及び第二端子７０の脱落を抑制できる。これにより、第一端子６０及び第二端子７０をガタツキなく保持させることができるとともに、組付け作業性を向上させることができる。また、第一端子保持部４１及び第二端子保持部５１に対する第一端子６０及び第二端子７０の保持状態が目視可能となり、組み付け不良の抑制が容易となる。さらに、電源線６１及び信号線７１の導出方向が相手端子との接続方向に対して直交する方向の第一端子６０及び第二端子７０をリアホルダ４０に保持させる構造である。したがって、第一端子６０及び第二端子７０から延びる電源線６１及び信号線７１がリアホルダ４０に絡むような不具合なく第一端子６０及び第二端子７０をリアホルダ４０の第一端子保持部４１及び第二端子保持部５１へ保持させることができる。
【００４１】
また、第一端子保持部４１の収容凹部４２に第一端子６０を嵌合させ、第二端子保持部５１の収容凹部５２に第二端子７０を嵌合させることで、第一端子６０及び第二端子７０を容易にリアホルダ４０へ保持させることができる。特に、第一端子保持部４１の収容凹部４２は、リアホルダ４０のハウジング２０への装着側に形成されている。したがって、相手コネクタである充電コネクタへ接続した際に第一端子６０に相手の端子との接続方向後方へ作用する力をリアホルダ４０で受け止めさせることができる。
【００４２】
しかも、第一端子６０及び第二端子７０から延びる電源線６１及び信号線７１が第一電線収容溝４３及び第二電線収容溝５３に収容されるので、電源線６１及び信号線７１がばらけることによる組付け作業の滞りをなくし、さらに良好な組付け作業性を確保できる。
【００４３】
尚、本発明は、上述した実施形態に限定されるものではなく、適宜、変形、改良、等が可能である。その他、上述した実施形態における各構成要素の材質、形状、寸法、数、配置箇所、等は本発明を達成できるものであれば任意であり、限定されない。
【００４４】
ここで、上述した本発明に係るコネクタの実施形態の特徴をそれぞれ以下［１］〜［４］に簡潔に纏めて列記する。
［１］  相手端子との接続方向に対して直交する方向に電線（電源線６１，信号線７１）が導出された端子（第一端子６０，第二端子７０）と、
前記端子（第一端子６０，第二端子７０）を収容するキャビティ部（第一キャビティ部２５Ａ，第二キャビティ部２５Ｂ）を有するハウジング（２０）と、
前記端子（第一端子６０，第二端子７０）を保持する端子保持部（第一端子保持部４１，第二端子保持部５１）を有し、前記ハウジング（２０）に組付けられることで、前記端子（第一端子６０，第二端子７０）を前記キャビティ部（第一キャビティ部２５Ａ，第二キャビティ部２５Ｂ）へ収容させるリアホルダ（４０）と、を備え、
前記リアホルダ（４０）は、前記端子（第一端子６０，第二端子７０）または前記電線（電源線６１，信号線７１）を係止して前記端子保持部（第一端子保持部４１，第二端子保持部５１）に前記端子（第一端子６０，第二端子７０）を保持させた状態に維持させる係止機構（係止突起４４，係止凸部５５，押圧片５６）を備える
ことを特徴とするコネクタ。
［２］  前記端子は、第一端子（６０）と、第二端子（７０）と、から構成され、
前記端子保持部は、前記リアホルダ（４０）の前記ハウジング（２０）への装着側に形成されて前記第一端子（６０）が嵌合される収容凹部（４２）を有する第一端子保持部（４１）と、前記接続方向と直交する方向に前記第二端子（７０）が嵌合される収容凹部（５２）を有する第二端子保持部（５１）と、から構成されている
ことを特徴とする［１］に記載のコネクタ。
［３］  前記係止機構は、前記第一端子保持部（４１）に嵌合された前記第一端子（６０）を係止する第一係止機構と、前記第二端子保持部（５１）に嵌合された前記第二端子（７０）を係止する第二係止機構と、から構成され、
前記第一係止機構は、前記第一端子（６０）から延びる前記電線（電源線６１）を係止する係止突起（４４）を備え、
前記第二係止機構は、前記第二端子（７０）に形成された切欠き部（７５）に前記接続方向に直交する方向から嵌合する係止凸部（５５）と、前記第二端子保持部（５１）の前記収容凹部（５２）への嵌合方向後方側を押圧する押圧片（５６）と、を備える
ことを特徴とする［２］に記載のコネクタ。
［４］  前記第一端子保持部（４１）は、前記第一端子（６０）から延びる前記電線（電源線６１）を収容する第一電線収容溝（４３）を有し、前記第二端子保持部（５１）は、前記第二端子（７０）から延びる前記電線（信号線７１）を収容する第二電線収容溝（５３）を有する
ことを特徴とする［２］または［３］に記載のコネクタ。
【符号の説明】
【００４５】
１０：コネクタ
２０：ハウジング
２５Ａ：第一キャビティ部（キャビティ部）
２５Ｂ：第二キャビティ部（キャビティ部）
４０：リアホルダ
４１：第一端子保持部（端子保持部）
４２，５２：収容凹部
４３：第一電線収容溝
４４：係止突起（係止機構，第一係止機構）
５１：第二端子保持部（端子保持部）
５３：第二電線収容溝
５５：係止凸部（係止機構，第二係止機構）
５６：押圧片（係止機構，第二係止機構）
６０：第一端子（端子）
６１：電源線（電線）
７０：第二端子（端子）
７１：信号線（電線）
【図１】
2019175612.tif 000003
【図２】
2019175612.tif 000004
【図３】
2019175612.tif 000005
【図４】
2019175612.tif 000006
【図５】
2019175612.tif 000007
【図６】
2019175612.tif 000008
【図７】
2019175612.tif 000009
【図８】
2019175612.tif 000010
【図９】
2019175612.tif 000011
【図１０】
2019175612.tif 000012
【図１１】
2019175612.tif 000013
【図１２】
2019175612.tif 000014
【図１３】
2019175612.tif 000015